(57)【要約】【課題】変形可能注ぎ口付き注入デバイスを提供する。【解決手段】本注入デバイス（１００）は容器（１０２）と、互いに隔たった終端（１１２、１１４）をそれぞれ有する第１及び第２補強部（１１１、１１３）を備える補強部材（１０６）とを備える。該容器の変形可能領域（１０９）が該第１及び第２補強部の該終端間に配置された状態で、該第１及び第２補強部が該容器に結合される。該変形可能領域は該補強部材より弾力性があり、該変形可能領域の両側に向って該容器に力を加えた時、少なくとも部分的に該変形可能領域から注ぎ口が形成される。【選択図】図１３
2012520806.tif 000002
【特許請求の範囲】
【請求項１】
曲げ易い口部を有する容器と、
互いに隔たった終端をそれぞれ有する第１及び第２補強部を備える補強部材であって、該容器の該曲げ易い口部が該終端間に配置された状態で該第１及び第２補強部が該容器に結合される補強部材と、
該補強部材の該第１及び第２補強部に内向きの力を加えた時、該曲げ易い口部から形成されるよう構成された注ぎ口と
を備える注入デバイス。
【請求項２】
前記容器に結合されユーザの握りに合致するよう構成されたハンドルを更に備える請求項１に記載の注入デバイス。
【請求項３】
前記ハンドルは前記補強部材と共に単一の材料体でできている請求項２に記載の注入デバイス。
【請求項４】
前記容器はシリコーンを含む材料でできており、前記第１及び第２補強部はプラスチックを含む材料でできている請求項１に記載の注入デバイス。
【請求項５】
前記容器は、収納又は運ぶために該容器を折り畳むのを容易にする複数の稜線を備える請求項１に記載の注入デバイス。
【請求項６】
前記第１及び第２補強部上に配置され、力を加えると前記注ぎ口が形成される少なくとも２つのはさむ箇所標識を更に備える請求項１に記載の注入デバイス。
【請求項７】
前記はさむ箇所標識はユーザの指先に合致するよう構成されたへこみからなる請求項６に記載の注入デバイス。
【請求項８】
前記口部の曲げ易い部分は、前記注ぎ口の形成を容易にするよう構成された窪みを有する請求項１に記載の注入デバイス。
【請求項９】
前記容器はその容量に対応するしるしを備える請求項１に記載の注入デバイス。
【請求項１０】
ベースと、該ベースに結合され内部空間を形成し、曲げ易い材料でできた壁とを有する容器と、
細長い柄部材と、該細長い柄部材から延びる一対の向い合うかぎ爪部材とを有するハンドルと
を備え、
該かぎ爪部材は該壁に結合され、該壁の無補強の部分は該一対のかぎ爪部材の一対の終端の間に配置され、該壁の該無補強の部分は第１の形状を有し、該一対のかぎ爪部材に内向きの力を加えることは、該壁の該無補強の部分を該第１の形状から変形させて注ぎ口が形成される、注入デバイス。
【請求項１１】
前記力を加えるのを止めると、前記壁の無補強の部分は前記第１の形状に戻る請求項１０に記載の注入デバイス。
【請求項１２】
前記かぎ爪部材は前記壁より硬い請求項１０に記載の注入デバイス。
【請求項１３】
前記かぎ爪部材上に位置し、前記力を加えると変形軸に関してほぼ対称に前記壁の無補強の部分が変形するのを容易にするはさむ箇所を更に備える請求項１０に記載の注入デバイス。
【請求項１４】
前記壁の無補強の部分に形成され、前記力を加えると前記変形軸に関してほぼ対称に変形するよう配置された窪みを更に備える請求項１３に記載の注入デバイス。
【請求項１５】
前記壁は、該壁を前記ベースの方へ折り畳むのを容易にする複数の稜線を備える請求項１１に記載の注入デバイス。
【請求項１６】
ベースと、該ベースから口部を含むほぼ円形の縁まで上方へ突出した壁とを有する自由に変形可能な本体と、
該壁の一部の周りに延在し該壁に固定されたほぼ剛性で、しかし弾性的に変形可能なカバーと
を備え、
該カバーは該壁の該口部を横切っておらず、該カバーを変形させた時、該壁の該口部は変形して注ぎ口を形成する、容器。
【発明の詳細な説明】
【技術分野】
【０００１】
本発明は、保持し注ぐための器具、特に液体等の内容物を受容し保持し注ぐよう構成された容器に関する。
【背景技術】
【０００２】
液体を１つの容器から別の容器へ移したり、容器から液体を配ることは多くの用途にとって重要である。
【０００３】
例えば、調理用途において、食品、飲料レシピ等のレシピは、様々な分量の幾つかの材料を要求する。これらの分量を伝達するために、レシピは通常、計量標準を記述する。最も一般的なものの１つが単位カップ又はその分数である。しばしば、レシピは液状及び固形材料の必要な又は推奨された量をそれら材料のカップ数（又は分数）に基づいて記述している。材料を保持し注ぐために通常使用される容器は、従来の概ね円筒形の硬い材質でできた計量カップを含む。従って、スペースを取り、こぼし易く、材料の無駄及び好ましい分量からの変動を生じる。また、従来の計量カップは、製造の容易さのために単一の材料体から通常できている。
【０００４】
研究室用途では、ガラス又は硬いプラスチックで通常できたビーカーを使用するので、上述した計量カップと同じ欠点を有している。このような用途におけるこぼれは、研究室実験が正確な量の化学物質を通常必要とするので、特に好ましくないし、幾つかの化学物質はユーザの皮膚又は環境に接触した時、有害である可能性がある。
【発明の概要】
【発明が解決しようとする課題】
【０００５】
変形可能注ぎ口付き注入デバイスを提供する。
【課題を解決するための手段】
【０００６】
１つの実施形態によれば、注入デバイスは、曲げ易い口部を有する容器と、互いに隔たった終端をそれぞれ有する第１及び第２補強部を備える補強部材であって、該容器の該曲げ易い口部が該終端間に配置された状態で該第１及び第２補強部が該容器に結合される補強部材とを備える。この注入デバイスは該補強部材の該第１及び第２補強部に内向きの力を加えた時、該曲げ易い口部から形成されるよう構成された注ぎ口を有するよう更に構成されている。
【０００７】
１つの態様によれば、該注入デバイスは前記容器に結合されユーザの握りに合致するよう構成されたハンドルを更に備える。前記ハンドルは前記補強部材と共に単一の材料体でできていてよい。
【０００８】
１つの態様によれば、該注入デバイスは、前記第１及び第２補強部上に配置され、力を加えると前記注ぎ口が形成される少なくとも２つのはさむ箇所標識を更に備える。
【０００９】
別の実施形態によれば、注入デバイスは、ベースと、該ベースに結合され内部空間を形成し、曲げ易い材料でできた壁とを有する容器を備える。この注入デバイスは細長い柄部材と、該細長い柄部材から延びる一対の向い合うかぎ爪部材とを有するハンドルを更に備える。該かぎ爪部材は該壁に結合されている。該壁の無補強の部分は該一対のかぎ爪部材の一対の終端の間に配置され、該壁の該無補強の部分は第１の形状を有し、該かぎ爪部材に内向きの力を加えることは、該壁の該無補強の部分を該第１の形状から変形させて注ぎ口が形成される。
【００１０】
１つの態様によれば、前記かぎ爪部材は前記壁より硬い。
【００１１】
１つの態様によれば、該注入デバイスは、前記かぎ爪部材上に位置し、前記力を加えると変形軸に関してほぼ対称に前記壁の無補強の部分が変形するのを容易にするはさむ箇所を備える。
【発明を実施するための形態】
【００１２】
以下、図面を参照しながら、本発明について、詳しく説明する。
【実施例】
【００１３】
図１は１つの実施形態に係り容器１０２と、１つの態様ではハンドル１０４とを備える注入デバイス１００を例示する。容器１０２は液状又は固形内容物を受容し注ぐよう構成され内部空間１０５を形成するベース１０１と容器壁１０３とを備える。実施形態に関して下記により詳細に説明するように、本発明に係る注入デバイスは、内容物を全くこぼすことなく、また追加の部品及び材料を必要とせず内容物を注ぐことに対する選択的制御を提供する。容器１０２は、幾つかの実施形態に関して下記に更に説明するように内容物を保持し注ぐよう構成されたカップ、ボウル、ビーカー、タンブラー、又は他の製品又は容器でありうる。
【００１４】
容器１０２の少なくとも一部は弾力性又は柔軟性のある材料でできている。１つの実施形態では、注入デバイス１００は容器１０２の開口端又は口の近くで容器１０２に結合された補強部材１０６を備える。図２の実施形態に示すように、補強部材１０６は、ハンドル１０４に結合された又はこれから延びる第１及び第２補強部、例えば第１及び第２かぎ爪部材又は腕１１１、１１３を備える。容器１０２の変形可能な領域１０９は、該第１及び第２かぎ爪部材１１１、１１３のそれぞれの終端又は自由端１１２、１１４間に位置してもよい。従って、注入デバイス１００の縁１１５（図３）は該第１及び第２かぎ爪部材１１１、１１３の少なくとも一部と変形可能領域１０９とから形成されうる。
【００１５】
補強部材１０６は容器１０２より弾力性が少ないか又はより硬い、又は少なくとも変形可能領域１０９より硬い材料でできていてよい。１つの実施形態では、補強部材１０６はプラスチック、例えば硬質プラスチックでできており、容器壁１０４はシリコーンでできている。
【００１６】
変形可能領域１０９の両側に力を加えると、この領域は変形し注ぎ口を形成し、内部空間１０５から内容物をこぼす事なく容易に注ぐのを可能にする。注ぎ口の一例は図１２と図１３を比べることで分かる。力を加えるのを止めると変形可能領域１０９は元の形状に戻る。図３と図４に例示したように、注入デバイス１００は、力が加えられた時に注ぎ口の正確な形成を容易にする位置を示すためのはさむ箇所標識１１８を備えてよい。例えば、はさむ箇所標識１１８を、該第１及び第２かぎ爪部材１１１、１１３にそれぞれ位置する２つのはさむ箇所標識１１８のように補強部材１０６上に配置してもよい。はさむ箇所標識１１８はユーザの指先に合致し、２本の指を使って容易に力を加えられるよう成形されてよい。例えば、図２に示すようにへこみ１１５であってもよい。
【００１７】
図２の実施形態に示したように、変形可能領域１０９は凹部又は窪み１２０を備えてもよい。これは注ぎ口の形成を助け形状を改善し、注ぎ口が形成された時、相対的に狭い注入流として内容物を導くのをより容易にする。例えば、補強部材１０６にはさむ箇所標識１１８において力を加えた時、終端１１２、１１４は互いに向って付勢され、変形可能領域１０９は少なくとも部分的に締まるか、畳まるか、又は変形し注ぎ口を形成する。はさむ箇所標識１１８は、はさむ箇所標識１１８への力の印加が注ぎ口及び／又は該窪みを変形軸１１９（図１）の周りにほぼ対称に変形させるよう配置されてもよい。
【００１８】
従って、本発明に係る注入デバイスのユーザは、製造と使用が容易なこのデバイスだけで片手の２本の指だけを使用して材料又は内容物を容易に計量し及び／又は効率的に注ぐことが出来る。
【００１９】
１つの実施形態では、図１と図３に例示したように、容器壁１０３は、容器の大きさに依り１つ以上の稜線又はひだ線１２２を備える。これらは容器壁１０２を例えばベース１０１に向って折り畳むのを容易にする。本実施形態では、使用前後において注入デバイス１００は収納及び／又は運ぶのが容易なように占めるスペースをかなり小さくできる。
【００２０】
１つの実施形態では、図５に例示したように、注入セット１２４は複数の注入デバイス１００を含む。各デバイスは、例えば単位カップか又は他の計量標準の頻繁に使用するか標準の分数又は倍数に対応する異なる容積又は容量を有してよい。
【００２１】
図２に例示したように、注入デバイス１００は容積に対応するしるし１２６を備える。
【００２２】
図１に例示したように、１つの実施形態では、ハンドル１０４は、容器壁１０３より弾力性が少ない材料、例えばプラスチックでできている細長い部材１２８を含んでもよい。ハンドル１０４と補強部材１０６は単一の材料体でできていてもよい。ハンドル１０４は他の容器のハンドルと接続するか又は注入デバイス１００を吊るすのを可能にする開口１３０を備えてもよい。また、図１と図６の実施形態に示したように、ハンドル１０４は、例えばその上面に沿って窪み１３２を有し、例えばユーザの親指に合致することでユーザが握るのを容易にしてもよい。
【００２３】
図７〜図９は別の実施形態に係る注入デバイス２００を例示する。注入デバイス２００はカップ、ビーカー、又は他の適切な容器等の容器２０２を備える。容器２０２は弾力性又は柔軟性のある材料でできていてよい。１つの実施形態では、図７に例示したように、注入デバイス２００は、容器２０２に結合され容器２０２の外面の少なくとも一部の周りに延在するカバー又はシェル部材２０６を備える。
【００２４】
シェル部材２０６は容器２０２の材料より硬い材料でできていてもよい。図９の展開図に例示したように、シェル部材２０６は、その長さに沿って少なくとも部分的に開いた概ね円筒形状を有し２つの自由端２１２、２１４を形成する。ユーザはシェル２０６に力を加えて自由端２１２、２１４を互いに向って付勢してよい。
【００２５】
１つの実施形態では、シェル部材２０６はプラスチック、例えば硬質プラスチック又はナイロン等の熱可塑性材料でできていてもよく、容器２０２はゴム、シリコーン、軟質プラスチック、又は他の適切な柔軟な材料でできていてもよい。
【００２６】
シェル部材２０６は容器２０２に恒久的又は取り外し可能に結合され、結合された時、容器２０２の変形可能領域２０９は自由端２１２、２１４の間に位置しうる。従って、シェル部材２０６を強く握るか自由端２１２、２１４を別の方法で互いに向って動かすと、変形可能領域２０９は変形して注ぎ口を形成し、容器２０２から内容物をこぼす事なく容易に注ぐのを可能にする。力を加えるのを止めると変形可能領域２０９は元の形状に戻る。
【００２７】
図８の実施形態に示したように、変形可能領域２０９は凹部又は窪み２２０を備えてもよい。これは注ぎ口の形成を助けその形状を改善し、注ぎ口が形成された時、正確な注入流として内容物を導くのをより容易にする。
【００２８】
また、図７に例示したように、容器２０２はしるし２２６、例えば液体又は他の内容物の様々な容積に対応する線及び／又は数字を含む計量しるし又は他の適切なしるしを備えてもよい。
【００２９】
容器２０２がビーカーである実施形態では、注入デバイス２００を、研究室実験又は他の手順を迅速にするこのデバイスだけで片手の２本の指だけを使用して液体又は内容物を計量し移すために使用できる。
【００３０】
図１０〜図１３は更に別の実施形態に係る注入デバイス３００を例示する。注入デバイス３００はボウル、深皿、又は他の容器等の容器３０２を備える。容器３０２は弾力性又は柔軟性のある材料でできていてよい。１つの実施形態では、図１１に例示したように、注入デバイス３００は、容器３０２に結合されたカバー又はシェル部材３０６を備える。容器３０２の外面はシェル部材３０６の内面上に重ねられる。
【００３１】
シェル部材３０６は容器３０２の材料より硬い材料でできていてよい。図１０の展開図に例示したように、シェル部材３０６は、その長さに沿って少なくとも部分的に開いた形状を有するか又は中に空洞を有し、２つの自由端３１２、３１４を形成する。
【００３２】
１つの実施形態では、シェル部材３０６はプラスチック、例えば硬質プラスチック又はポリプロピレン材料でできていてもよく、容器３０２はゴム、シリコーン、軟質プラスチック、又は他の適切な柔軟な材料、例えば熱可塑性エラストマーでできていてもよい。
【００３３】
図１１に示した態様では、容器３０２の変形可能領域３０９は自由端３１２、３１４の間に位置しうる。従って、力Ｆ（図１３）をシェル部材３０６に加えて自由端３１２、３１４を互いに向って動かすと、変形可能領域３０９は変形して注ぎ口を形成し、容器３０２から内容物をこぼす事なく容易に注ぐのを可能にする。力を加えるのを止めると変形可能領域３０９は元の形状に戻る。
【００３４】
図１２の実施形態に示したように、変形可能領域３０９は凹部又は窪み３２０を備えてもよい。これは注ぎ口の形成を助けその形状を改善し、注ぎ口が形成された時、正確な注入流として内容物を導くのをより容易にする。
【００３５】
また、容器３０２はしるし３２６、例えば液体又は他の内容物の様々な容積に対応する線及び／又は数字を含む計量しるしを備えてもよい。
【００３６】
従って、容器３０２がボウル又は深皿である実施形態では、注入デバイス３００を、製造と使用が容易なこのデバイスだけで片手の２本の指だけを使用して液体又は内容物を計量し移すために使用できる。これは大きな円形の縁を有するボウルから注ぐのに通常伴う内容物のこぼれを軽減する。
【００３７】
上記の様々な実施形態を組み合わせて追加の実施形態を提供することができる。本明細書で参照した及び／又は出願データシートに記載した米国特許、米国特許出願公開、米国特許出願、外国特許、外国特許出願、及び非特許文献の全てを本明細書に援用する。これらの実施形態の態様は、必要であれば、上記の様々な特許、出願、及び文献の着想を使用するよう変更することができ、更に追加の実施形態を提供する。
【００３８】
上記詳細な説明を考慮すると、これら及び他の変更を実施形態に行うことができる。一般に、添付の請求項において使用される用語は、請求項を本明細書及び請求項に開示した特定の実施形態に限定すると解釈されるべきでなく、全ての可能な実施形態と請求項の全ての等価物を含むと解釈されるべきである。従って、請求項は本開示によって限定されない。
【図面の簡単な説明】
【００３９】
【図１】１つの実施形態に係る注入デバイスの斜視図である。
【図２】１つの実施形態に係る注入デバイスの上面図である。
【図３】１つの実施形態に係る注入デバイスの側面図である。
【図４】１つの実施形態に係る注入デバイスの側面図である。
【図５】１つの実施形態に係る計量注入セットの斜視図である。
【図６】１つの実施形態に係る注入デバイスの背面図である。
【図７】別の実施形態に係る注入デバイスの側面図である。
【図８】１つの態様に係る図７の注入デバイスの上面図である。
【図９】１つの態様に係る図７の注入デバイスの展開斜視図である。
【図１０】更に別の実施形態に係る注入デバイスの展開斜視図である。
【図１１】１つの態様に係る図１０の注入デバイスの斜視図である。
【図１２】１つの態様に係る図１０の注入デバイスの非圧縮状態での上面図である。
【図１３】図１０の注入デバイスの圧縮状態での上面図である。
【符号の説明】
【００４０】
１００、２００、３００  注入デバイス
１０２、２０２、３０２  容器
１０４  ハンドル
１０６  補強部材
２０６、３０６  シェル部材
【図１】
2012520806.tif 000003
【図２】
2012520806.tif 000004
【図３】
2012520806.tif 000005
【図４】
2012520806.tif 000006
【図５】
2012520806.tif 000007
【図６】
2012520806.tif 000008
【図７】
2012520806.tif 000009
【図８】
2012520806.tif 000010
【図９】
2012520806.tif 000011
【図１０】
2012520806.tif 000012
【図１１】
2012520806.tif 000013
【図１２】
2012520806.tif 000014
【図１３】
2012520806.tif 000015
【国際調査報告】
2012520806.tif 000016
2012520806.tif 000017
2012520806.tif 000018